【手続補正書】
【提出日】平成24年4月13日(2012.4.13)
【手続補正１】
【補正対象書類名】特許請求の範囲
【補正対象項目名】全文
【補正方法】変更
【補正の内容】
【特許請求の範囲】
【請求項１】
データを記憶する情報処理装置からデータを受信する受信手段と、
前記受信手段により受信したデータを印刷する印刷手段と、
ログイン中であったユーザがログアウトしたことを検知する検知手段を有し、
前記検知手段によりログイン中であったユーザがログアウトしたことが検知されると、前記印刷手段により印刷したデータを前記情報処理装置から削除する指示を前記情報処理装置に送信することを特徴とする画像形成装置。
【請求項２】
データを記憶する情報処理装置からデータを受信する受信手段と、
前記受信手段により受信したデータを印刷する印刷手段と、
前記印刷手段により実行した印刷の結果が成功か否かを判断する判断手段と、
ログイン中であったユーザがログアウトしたことを検知する検知手段を有し、
前記判断手段により印刷の結果が成功と判断され、前記検知手段によりログイン中であったユーザがログアウトしたことが検知されると、前記印刷手段により印刷したデータを前記情報処理装置から削除する指示を前記情報処理装置に送信することを特徴とする画像形成装置。
【請求項３】
更に、前記データを削除してよいか確認をする表示手段を有し、
前記表示手段は、前記検知手段によりログイン中のユーザがログアウトしたことが検知されると、前記印刷手段により印刷したデータを前記情報処理装置から削除してよいか表示を行うことを特徴とする請求項１又は２に記載の画像形成装置。
【請求項４】
前記情報処理装置は第１の情報処理装置と第２の情報処理装置から構成され、
前記第１の情報処理装置は、前記データを記憶する情報処理装置であり、
前記第２の情報処理装置は、前記データの削除指示を受信する情報処理装置であることを特徴とする請求項１又は２に記載の画像形成装置。
【請求項５】
前記ログイン中であるユーザの識別情報を前記情報処理装置に送信する送信手段と、
操作手段と、を備え、
前記受信手段が受信するデータは、前記送信した識別情報に関連づけられたデータの中から前記操作手段により特定されたデータであることを特徴とする請求項１又は２に記載の画像形成装置。
【請求項６】
データを記憶する情報処理装置と、画像形成装置とを備える画像形成システムであって、
前記画像形成装置は、
前記情報処理装置からデータを受信する受信手段と、
前記受信手段により受信したデータを印刷する印刷手段と、
前記印刷手段により実行した印刷の結果が成功か否かを判断する手段と、
前記画像形成装置にログイン中であったユーザがログアウトしたことを検知する手段を有し、
前記判断する手段により成功と判断され、前記検知手段によりログイン中のユーザがログアウトしたことが検知されると、前記印刷手段により印刷したデータを前記情報処理装置から削除する指示を前記情報処理装置に送信することを特徴とし
前記情報処理装置は、前記画像形成装置から受信した前記削除する指示に応じたデータを削除する削除手段を備えることを特徴とする画像形成システム。
【請求項７】
前記画像形成装置は、
前記ログイン中であるユーザの識別情報を前記情報処理装置に送信する送信手段と、
操作手段を備え、
前記受信手段が受信するデータは、前記送信した識別情報に関連づけられた文書データの中から前記操作手段により特定されたデータであることを特徴とする請求項６に記載の画像形成システム。
【請求項８】
前記情報処理装置は、前記データを記憶する第１の情報処理装置と前記データの書誌情報を記憶する第２の情報処理装置から構成され、
前記第２の情報処理装置は、
前記画像形成装置から受信した前記削除する指示に応じた前記書誌情報を削除する手段と、
前記画像形成装置から受信した前記削除する指示に応じた前記データを削除する指示を前記第１の情報処理装置に送信する手段とを備え、
前記第１の情報処理装置は、前記第２の情報処理装置から受信した前記削除する指示に応じたデータを削除する手段を備えることを特徴とする請求項６に記載の画像形成システム。
【請求項９】
前記第１の情報処理装置は、前記記憶するデータの書誌情報を前記第２の情報処理装置へ送信する手段を備え、
前記第２の情報処理装置が記憶する前記書誌情報は、前記第１の情報処理装置から受信した書誌情報であり、
前記第２の情報処理装置の前記送信する手段は、前記記憶する書誌情報のうち、前記画像形成装置から受信した前記削除する指示に応じた書誌情報に対応する前記データを削除する指示を前記第１の情報処理装置に送信することを特徴とする請求項８に記載の画像形成システム。
【請求項１０】
データを記憶する情報処理装置からデータを受信する受信ステップと、
前記受信ステップにより受信したデータを印刷する印刷ステップと、
ログイン中であったユーザがログアウトしたことを検知する検知ステップを有し、
前記検知ステップによりログイン中であったユーザがログアウトしたことが検知されると、前記印刷ステップにより印刷したデータを前記情報処理装置から削除する指示を前記情報処理装置に送信することを特徴とする画像形成方法。
【請求項１１】
データを記憶する情報処理装置からデータを受信する受信ステップと、
前記受信ステップにより受信したデータを印刷する印刷ステップと、
前記印刷ステップにより実行した印刷の結果が成功か否かを判断する判断ステップと、
ログイン中であったユーザがログアウトしたことを検知する検知ステップを有し、
前記判断ステップにより印刷の結果が成功と判断され、前記検知ステップによりログイン中であったユーザがログアウトしたことが検知されると、前記印刷ステップにより印刷したデータを前記情報処理装置から削除する指示を前記情報処理装置に送信することを特徴とする画像形成方法。
【請求項１２】
コンピュータに請求項１０又は１１に記載の画像形成方法を実行させるためのプログラム。
【手続補正２】
【補正対象書類名】明細書
【補正対象項目名】００１０
【補正方法】変更
【補正の内容】
【００１０】
上記課題を解決するために、本発明に係るが画像形成装置は、データを記憶する情報処理装置からデータを受信する受信手段と、前記受信手段により受信したデータを印刷する印刷手段と、ログイン中であったユーザがログアウトしたことを検知する検知手段を有し、前記検知手段によりログイン中であったユーザがログアウトしたことが検知されると、前記印刷手段により印刷したデータを前記情報処理装置から削除する指示を前記情報処理装置に送信することを特徴とする。
【手続補正３】
【補正対象書類名】明細書
【補正対象項目名】００１１
【補正方法】変更
【補正の内容】
【００１１】
また、本発明に係る画像形成システムは、データを記憶する情報処理装置と、画像形成装置とを備える画像形成システムであって、前記画像形成装置は、前記情報処理装置からデータを受信する受信手段と、前記受信手段により受信したデータを印刷する印刷手段と、前記印刷手段により実行した印刷の結果が成功か否かを判断する手段と、前記画像形成装置にログイン中であったユーザがログアウトしたことを検知する手段を有し、前記判断する手段により成功と判断され、前記検知手段によりログイン中のユーザがログアウトしたことが検知されると、前記印刷手段により印刷したデータを前記情報処理装置から削除する指示を前記情報処理装置に送信することを特徴とし、前記情報処理装置は、前記画像形成装置から受信した前記削除する指示に応じたデータを削除する削除手段を備えることを特徴とする。
【手続補正４】
【補正対象書類名】明細書
【補正対象項目名】００１２
【補正方法】変更
【補正の内容】
【００１２】
本発明に係るが画像形成方法は、データを記憶する情報処理装置からデータを受信する受信ステップと、前記受信ステップにより受信したデータを印刷する印刷ステップと、ログイン中であったユーザがログアウトしたことを検知する検知ステップを有し、前記検知ステップによりログイン中であったユーザがログアウトしたことが検知されると、前記印刷ステップにより印刷したデータを前記情報処理装置から削除する指示を前記情報処理装置に送信することを特徴とする。